(57)【特許請求の範囲】
【請求項１】
粒状物貯蔵部から繰り出される粒状物を移送管を通して圃場の散布位置に臨む散布口へ移送するとともに、その移送管内へ粒状物移送用の加圧空気を送風機で送り込む構成の粒状物散布装置において、前記粒状物貯蔵部内に残留する粒状物を取り出すための粒状物取出口と、該粒状物取出口を通って取り出される粒状物を回収する回収管と、前記粒状物取出口を開閉する回収シャッタと  前記送風機からの加圧空気を前記回収管へ送り込むように切り替える送風切替シャッタとを設け、送風機からの加圧空気を回収管に送り込む側に前記送風切替シャッタを切り替えると、それに遅れて前記回収シャッタが開くように両シャッタを連動させたことを特徴とする粒状物散布装置。
【発明の詳細な説明】
【０００１】
【発明の属する技術分野】
本発明は、肥料等の粒状物を散布する粒状物散布装置において粒状物貯蔵部内に残留する粒状物を回収する構成に関するものである。
【０００２】
【従来の技術】
肥料貯蔵部から繰り出される粒状の肥料を移送管を通して圃場の散布位置に臨む散布口へ移送し、その移送管内へ肥料移送用の加圧空気を送風機で送り込むように構成した施肥装置がある。
【０００３】
【発明が解決しようとする課題】
この種の施肥装置において、肥料貯蔵部に肥料が残ったままであると、その肥料が固化して次回作業時に支障があるので、作業終了後に肥料貯蔵部に残留する肥料を取り出して回収している。本発明は、この残留肥料の回収を確実かつ容易に行えるようにすることを目的とするものである。
【０００４】
【課題を解決するための手段】
上記課題を解決するために、本発明は次にように構成した。すなわち、本発明にかかる粒状物散布装置は、粒状物貯蔵部から繰り出される粒状物を移送管を通して圃場の散布位置に臨む散布口へ移送するとともに、その移送管内へ粒状物移送用の加圧空気を送風機で送り込む構成の粒状物散布装置において、前記粒状物貯蔵部内に残留する粒状物を取り出すための粒状物取出口と、該粒状物取出口を通って取り出される粒状物を回収する回収管と、前記粒状物取出口を開閉する回収シャッタと  前記送風機からの加圧空気を前記回収管へ送り込むように切り替える送風切替シャッタとを設け、送風機からの加圧空気を回収管に送り込む側に前記送風切替シャッタを切り替えると、それに遅れて前記回収シャッタが開くように両シャッタを連動させたことを特徴としている。
【０００５】
【実施例】
以下、本発明の実施例について説明する。
図１乃至図６に示す粒状物散布装置は乗用田植機に装着して使用する施肥装置であって、４条の各植付条の側部近傍に施肥するように構成されている。
【０００６】
図中の２は肥料貯蔵部（粒状物貯蔵部）で、この中に粒状の肥料が入れられる。図示例の肥料貯蔵部２は２条分づつが一体に形成されており、上部に開閉自在な蓋２ａが取り付けられている。肥料貯蔵部２の下側には、該肥料貯蔵部内の肥料を一定量づつ下方に繰り出す繰出部３が設けられている。
【０００７】
繰出部３には繰出ロール５が内蔵されている。この繰出ロール５は、外周部に軸方向の溝が複数本形成された溝ロール５ａと、該溝ロールの溝に摺動自在に係合する爪状突起が形成された爪ロール５ｂとの組み合わせで構成され、爪状突起が係合していない溝の部分が肥料保持用の凹部６，…となる。繰出ロール５は左右方向に設けたロール支持筒７の外周部に回転自在に支持されていて、該ロール支持筒７内に一端が空転自在に嵌合している繰出軸８の回転が施肥クラッチ９を介して繰出ロール５に伝達されるようになっている。施肥クラッチ９はクラッチピン９ａによって入切することができる。繰出ロール５が図１の矢印方向に回転することにより、肥料貯蔵部２内の肥料を凹部６，…が搬送して下方へ繰り出す。爪ロール５ｂは開度調節ギヤ１１によって軸方向に移動が拘束されている。この開度調節ギヤ１１は、ロール支持筒７のねじ部７ａに螺合しており、開度調節軸１２に取り付けたピニオン１３と噛み合っている。よって、開度調節ハンド１４を用いて開度調節軸１２を回転させると、開度調節ギヤ１１と共に爪ロール５ｂが軸方向に移動し、それによって凹部６，…の容積が変わり、肥料の繰出量が調節される。
【０００８】
繰出部３は田植機本体からの動力で駆動される。すなわち、施肥駆動ロッド１５の往復運動が一方向クラッチ１６を介して施肥駆動軸１７に伝達され、更にその施肥駆動軸１７の間欠回転運動が伝動ベルト１８を介して繰出軸８に伝達される。図６は施肥駆動軸１７から繰出軸８への伝動部を示す図であって、図の１７ａは施肥駆動軸側のプーリ、８ａは繰出軸側のプーリ、１２ａはテンションプーリである。図示のように、テンションプーリ１２ａが前記開度調節軸１２に取り付けられているため、テンションプーリ１２ａ取り付けのための軸を別に設ける必要がなく、簡略な構成となっている。
【０００９】
凹部６，…が肥料を保持して回転移動する側である前側の壁面と繰出ロール５の間隔部には、肥料貯蔵部２内の肥料の自由落下を防止する仕切り板２０、及び凹部６に保持されて下方へ搬送中の肥料の表面部を均すブラシ２１が着脱自在に取り付けられている。仕切り板２０の先端部にはシールゴム２０ａが取り付けられていて、繰出ロール５との間に隙間を無くしてあるため、両者の間に肥料が咬み込んで粉状化されることによる肥料詰まり等の不都合が防止される。また、繰出ロール５が柔軟なシールゴム２０ａと接触しているため、繰出ロール５の摩耗が防止される。シールゴム２０ａは仕切り板２０に差し込み式に取り付けられているので、シールゴム２０ａが磨り減ったときに容易に交換することができる。なお、シールゴム２０ａは焼付により仕切り板２０に一体成形してもよい。
【００１０】
繰出部３の下部には接続管２３が一体に形成されている。そして、この接続管２３の後端部に肥料移送管２４が接続されている。一方、各条の接続管２３の前端部は左右方向に設けたエアチャンバ２５の側面に挿入連結されている。エアチャンバ２５の一端は継ぎ管２６を介して送風機２７に接続されており、送風機２７からの加圧空気がエアチャンバ２５を経由して各条の接続管２３及び肥料移送管２４に送り込まれ、繰出部３から繰り出される肥料を風圧でもって接続管２３の先端の施肥口（散布口）まで搬送するようになっている。
【００１１】
繰出部３の上部後側壁面には、肥料貯蔵部２内に残留する肥料を取り出すための筒状の肥料取出口（粒状物取出口）３０が斜め下方に向けて設けられている。更に、この肥料取出口３０の軸心上に左右方向の回収管３１が設けられており、肥料取出口３０の下端部がその回収管３１の斜め上横の壁面部に接続されている。肥料取出口３０の下端部は、回収管３１の肥料回収方向上手側の部分が球面状の防風用フード３０ａとして形成され、かつ肥料回収方向下手側の部分が開口している。そして、この開口部に後述する開閉機構により開閉自在な球面状の回収シャッタ３２が取り付けられている。これらフード３０ａと回収シャッタ３２とで半球形になっている。回収管３１の一端部は前記継ぎ管２６を介して前記送風機２７に接続されている。また、他端部は肥料回収口となり、そこに開閉自在な回収蓋３３が取り付けられている。
【００１２】
図５に示す如く、継ぎ管２６は二股になっていて、一方の接続口２６ａに前記エアチャンバ２５が接続され、他方の接続口２６ｂに回収管３１が接続されている。そして、その分岐部には、送風機２７からの加圧空気をエアチャンバ２５に吹き込む状態と回収管３１に吹き込む状態に切り替える送風切替シャッタ３５が設けられている。この送風切替シャッタ３５は回動軸３６を支軸として回動自在となっており、該回動軸３６を外部に設けた送風切替レバー３７で回動操作することにより、送風方向を切り替えるようになっている。なお、送風切替シャッタ３５が継ぎ管２６の壁面と接触する部分にはシール材３５ａ，３５ｂが取り付けてある。送風機２７はモ−タ３８（図７及び図８に図示）によって駆動され、そのモ−タ３８は送風ＯＮ／ＯＦＦスイッチ３９でＯＮ・ＯＦＦ切り替えられる。
【００１３】
前記回収シャッタ３２は回収管３１内に設けた２本の平行な回収シャッタ開閉軸４０，４０に取付板４１，４１によって取り付けられ、これら両開閉軸４０，４０をつなぐ連結部４０ａが送風切替シャッタ３５に連動するロッド４１の長穴４１ａに遊嵌させてある。送風切替シャッタ３５がエアチャンバ２５に送風する側になっている時は回収シャッタ３２が閉じた状態にあり、送風切替シャッタ３５を回収管３１に送風する側に切り替えると開閉軸４０，４０が引かれて回収シャッタ３２が開く。その際、長穴４１ａの長さ分だけ開閉軸４０，４０が引かれるタイミングが遅れるので、回収管３１に送風を開始して若干の時間が経過してから回収シャッタ３２が開くようになっている。なお、本実施例のように回収シャッタ３２をメカ的に送風切替シャッタ３５に連動させるのではなく、モータ等を用いて電気的制御により連動させてもよい。
【００１４】
この施肥装置１は以上の構成であって、図７及び図８に示すように乗用田植機５０に装着して使用される。図の５１は乗用走行車体、５２は植付部、５３は走行車体に対して植付部を昇降自在に支持する昇降リンク装置である。また、５１ａは前輪、５１ｂは後輪、５１ｃは操縦席、５１ｄはフロアステップ、５１ｅは操縦ハンドル、５１ｆはエンジン、５２ａは苗載台、５２ｂは苗植付装置、５２ｃはフロートである。
【００１５】
施肥装置１は、走行車体５１の後部上側にエアチャンバ２５を左右水平に固定状態で設け、そのエアチャンバ２５に各条の肥料貯蔵部２，…と繰出部３，…が組み付けてある。肥料貯蔵部２，…は２条分づつが一体に形成され、また繰出部３，…の繰出ロール５，…は２条分づつが共通の繰出軸８，８から回転伝達されるようになっている。そして、繰出部の接続管２３，…に接続した肥料移送管２４，…の先端の施肥口（散布口）をフロート５２ｃ，…に取り付けた施肥ガイド５５，…に挿入している。また、送風機２７はエアチャンバ２５の左端部に一体に固着した継ぎ管２６に取付パイプ５５で取り付けられている。送風機２７に空気を取り込む吸気パイプ５６の吸気口は走行車体５１の後部中央部に位置させてあり、エンジン５１ｆによって暖められた暖気を吸引するようになっている。暖気を肥料移送管２４，…内に送風することにより、肥料移送管２４，…の内部壁面に付着した肥料が固化するのを防止している。
【００１６】
田植機５０には除草剤散布装置６０も装着される。除草剤散布装置６０は、左右２条分づつ一体となった肥料貯蔵部２，…の間に位置する左右中央部に液状の除草剤を貯蔵する除草剤タンク６１を設け、その除草剤タンク６１内の除草剤をフレキシブルな除草剤移送管６２を通して、植付部５２の後部左右中央位置に設けた散布ノズル６３に導くようになっている。散布ノズル６３はノズル取付フレーム６４に取り付けられていて、苗植付位置よりも後方の圃場面に臨んでいる。除草剤タンク６１の上部には補給用の蓋６１ａが取り付けられている。除草剤タンク６１の前面部には操作パネル６５が取り付けられ、その操作パネル６５に、繰出ＯＮ／ＯＦＦスイッチ６５ａと散布量調節ダイヤル６５ｂが設けられている。図９に示すように、除草剤タンク６１内の除草剤は間欠的に除草剤移送管６２に繰り出されるようになっていて、その繰出時間Ｔを変更することにより除草剤散布量を調節するようになっている。
【００１７】
植付部５２、施肥装置１、及び除草材散布装置６０を駆動して走行車体５１を進行させると、苗載台５２ａ上の苗を苗植付装置５２ｂ，…が圃場に植付けると共に、繰出部３，…によって繰り出される肥料貯蔵部２，…内の肥料を肥料移送管２４，…を通して施肥ガイド５５，…より各植付条の側部近傍に散布し、かつ除草剤タンク６１内の除草剤を除草剤移送管６２を通して散布ノズル６３より機体左右中央部の後方に位置する散布位置に滴下散布する。
【００１８】
肥料貯蔵部２，…内の肥料或は除草剤タンク６１内の除草剤が無くなるか、もしくは残り少なくなったならば、蓋２ａ，６１ａを開けて肥料或は除草剤を補給する。肥料貯蔵部２，…及び除草剤タンク６１は操縦席５１ｃの後ろ側に前後位置を揃えて配置されているので、フロアステップ５１ｄ上から補給作業を容易に行える。また、操縦席５１ｃの真後ろよりもその両側の方がより補給作業が容易であるので、消費量の多い肥料の肥料貯蔵部２，…を左右両側に設け、消費量の少ない除草剤の除草剤タンク６１を左右中央部に設けることにより、補給頻度が高い肥料の補給を特に容易にしている。
【００１９】
作業が終了したならば、肥料貯蔵部２，…内で肥料が固化するのを防止するために、肥料貯蔵部２，…内の肥料を回収する。回収に際しては、回収蓋３３を開け、送風切替レバー３７を回収管送風側に切り替える。すると、送風切替シャッタ３５が切り替わり、送風機２７からの加圧空気が回収管３１内に吹き込まれるようになり、更に若干時間経過後回収シャッタ３２，…が開く。肥料貯蔵部２，…内に残留する肥料が回収管３１に落し込まれ、その肥料が加圧空気によって回収管３１内を運ばれ、回収口から排出される。送風開始に遅れて回収シャッタ３２，…が開くようになっているので、肥料貯蔵部２，…から回収管３１内に落し込まれた肥料がただちに加圧空気で運ばれる。このため、回収管３１内での肥料詰まりが防止される。回収シャッタ３２，…と送風切替シャッタ３５が同時に作動するようになっていると、肥料貯蔵部２，…から落ちてきた肥料がある程度回収管３１内に溜った状態で送風が開始されるので、肥料の搬送がうまく行われず、肥料詰まりが生じるおそれがあるのである。肥料取出口３０，…の下端部には防風用フード３０ａ，…が設けられているので、加圧空気が肥料取出口３０，…に吹き込まれて肥料が肥料貯蔵部２，…に逆流することはない。
【００２０】
図１０は残留肥料回収のための異なる構成を示す。この施肥装置１′は、肥料貯蔵部２，…及び繰出部３，…が回動軸７０を支点に回動自在に設けられており、その回動軸７０に取り付けたギヤ７１と、回動軸７０に平行に設けたハンドル軸７２に取り付けたギヤ７３とを噛み合わせている。これによりハンドル７２ａを回すことにより、図において鎖線で示す如く肥料貯蔵部２，…及び繰出部３，…を転倒させ、肥料貯蔵部２，…内の残留肥料を取り出すことができる。取り出された残留肥料は回収樋７４に受けられ、該回収樋７４の一端で回収される。
【００２１】
【発明の効果】
以上に説明した如く、本発明にかかる粒状物散布装置は、粒状物取出口から回収管に取り出される貯蔵部に残留する粒状物を加圧空気によって回収管の回収側に搬送するようにし、回収管への送風を開始してからそれに遅れて回収管に粒状物が取り出されるようになっているので、回収管内で粒状物詰まりが防止され、確実に貯蔵部に残留する粒状物を回収できるようになった。
【図面の簡単な説明】
【図１】施肥装置の側面断面図である。
【図２】施肥装置の正面図である。
【図３】施肥装置の背面図である。
【図４】繰出部の正面断面図である。
【図５】送風切替機構と回収シャッタ開閉機構を示す断面図である。
【図６】施肥駆動軸から繰出軸への伝動部を示す図である。
【図７】施肥装置及び除草散布装置を装着した乗用田植機の側面図である。
【図８】施肥装置及び除草散布装置を装着した乗用田植機の平面図である。
【図９】除草剤散布のタイミングを示す図である。
【図１０】異なる構成の施肥装置の側面図である。
【符号の説明】
１  施肥装置
２  肥料貯蔵部（粒状物貯蔵部）
３  繰出部
５  繰出ロール
２３  接続管
２４  移送管
２５  エアチャンバ
２７  送風機
３０  肥料取出口（粒状物取出口）
３１  回収管
３２  回収シャッタ
３５  送風切替シャッタ
３７  送風切替レバー
５０  乗用田植機
５１  乗用走行車体
５３  植付部
６０  除草剤散布装置
６１  除草剤タンク
６２  除草剤移送管
６３  除草剤散布ノズル
【図１】
0003570049.tif 000002
【図２】
0003570049.tif 000003
【図３】
0003570049.tif 000004
【図４】
0003570049.tif 000005
【図５】
0003570049.tif 000006
【図６】
0003570049.tif 000007
【図７】
0003570049.tif 000008
【図８】
0003570049.tif 000009
【図９】
0003570049.tif 000010
【図１０】
0003570049.tif 000011